【手続補正書】
【提出日】平成24年6月13日(2012.6.13)
【手続補正１】
【補正対象書類名】特許請求の範囲
【補正対象項目名】全文
【補正方法】変更
【補正の内容】
【特許請求の範囲】
【請求項１】
取得装置（１１０）を備えたポータブル心電図記録（ＥＣＧ）取得システム（１００）であって、前記取得装置（１１０）は、
複数のフォーマットにあるホスト・ソフトウェア・アプリケーションを具現化する一組の実行可能なコードを含む記憶媒体（１２０）と、
患者（３３５）から一組のＥＣＧデータを収集する一組のＥＣＧ誘導（３２５）を含むＥＣＧコネクタ（１９０）と、
当該取得装置（１１０）をホスト装置（１７０）と結合するように構成されているＵＳＢコネクタ（１８０）と、
前記患者（３３５）からの前記一組のＥＣＧデータの前記収集を制御するＥＣＧ取得モジュール（１５０）と、
前記ＵＳＢコネクタ（１８０）が前記ホスト装置（１７０）に接続されると、前記複数のフォーマットの適当な一つにある前記一組の実行可能なコードを前記ホスト装置（１７０）にロードして、前記一組の実行可能なコードを前記ホスト装置（１７０）において実行し、さらに、前記実行されるコードは、前記ソフトウェア・アプリケーションを起動して、前記収集された一組のＥＣＧデータを前記ホスト装置（１７０）の前記表示器に前記ソフトウェア・アプリケーションによりリアルタイムで表示することを含み、該ソフトウェア・アプリケーションを前記ホスト装置（１７０）の表示器に表示する、プロセッサと
を含んでいる、ポータブル心電図記録（ＥＣＧ）取得システム（１００）。
【請求項２】
前記ホスト装置（１７０）が、起動電力を提供するのに限定された電力供給を有するときに前記取得装置（１１０）の前記電力供給を管理する電力管理モジュール（１４０）をさらに含んでいる請求項１に記載のシステム（１００）。
【請求項３】
前記ホスト装置（１７０）と前記取得装置（１１０）との間の通信を電気的に制御するＵＳＢ制御モジュール（１３０）をさらに含んでいる請求項１に記載のシステム（１００）。
【請求項４】
前記患者（３３５）を前記取得装置（１１０）から絶縁する患者隔離モジュール（１６０）をさらに含んでいる請求項１に記載のシステム（１００）。
【請求項５】
前記ソフトウェア・アプリケーションは、グラフィック・ユーザ・インタフェイスを通じた利用者命令の後に前記患者（３３５）からの前記一組のＥＣＧデータの前記収集を制御し、さらに前記利用者が、前記一組のＥＣＧデータを検討し、操作し、記憶させ、印刷することを可能にする、請求項１に記載のシステム（１００）。
【請求項６】
前記ホスト装置（１７０）は、
デスクトップ・パーソナル・コンピュータ（３４０ｃ）、
ラップトップ・コンピュータ、
監視装置（３４０ａ）、
個人用計算装置（３４０ｂ）、
携帯情報端末（３４０ｂ）及び
スマートフォン
の任意の一つである、請求項１に記載のシステム（１００）。
【請求項７】
前記ホスト装置（１７０）がＵＳＢ互換でないときにＵＳＢアダプタ（３４５）をさらに含んでいる請求項６に記載のシステム（１００）。
【請求項８】
前記取得装置（１１０）において構成されており、前記利用者に電力レベル及びＥＣＧ信号強度の任意の組み合わせを知らせるＬＥＤインジケータ（３１５）をさらに含んでいる請求項１に記載のシステム（１００）。
【請求項９】
前記一組のＥＣＧ誘導（３２５）は１２誘導ＥＣＧの組である、請求項１に記載のシステム（１００）。
【請求項１０】
前記ＥＣＧコネクタ（３２０）はＥＣＧアダプタ（３３０）を含んでおり、このようにして前記一組のＥＣＧ誘導（３２５）を前記ＥＣＧコネクタ（３２０）に着脱自在に結合させる、請求項１に記載のシステム（１００）。
【請求項１１】
複数のフォーマットにあるホスト・ソフトウェア・アプリケーションを具現化する一組の実行可能なコードを含む記憶媒体（１２０）と、
患者（３３５）から一組のＥＣＧデータを収集する一組のＥＣＧ誘導（３２５）を接続するＥＣＧコネクタ（１９０）と、
当該取得装置（１１０）をホスト装置（１７０）と結合するように構成されているＵＳＢコネクタ（１８０）と、
前記患者（３３５）からの前記一組のＥＣＧデータの前記収集を制御するＥＣＧ取得モジュール（１５０）と、
前記ホスト装置（１７０）のプラットフォームの適当なものを識別するように前記ホスト装置（１７０）と通信し、前記ＵＳＢコネクタ（１８０）が前記ホスト装置（１７０）に接続されると、前記一組の実行可能なコードを前記ホスト装置（１７０）にロードして、前記一組の実行可能なコードを前記ホスト装置（１７０）において実行し、さらに、前記実行されるコードは、前記ソフトウェア・アプリケーションを起動して、前記収集された一組のＥＣＧデータを前記ホスト装置（１７０）の前記表示器に前記ソフトウェア・アプリケーションによりリアルタイムで表示することを含み、該ソフトウェア・アプリケーションを前記ホスト装置（１７０）の表示器に表示する、プロセッサと
を含んでいる、心電図記録（ＥＣＧ）取得装置（１１０）。
【請求項１２】
前記ホスト装置（１７０）が、起動電力を提供するのに限定された電力供給を有するときに前記取得装置（１１０）の前記電力供給を管理する電力管理モジュール（１４０）をさらに含んでいる請求項１１に記載の装置（１１０）。
【請求項１３】
前記ホスト装置（１７０）と前記取得装置（１１０）との間の通信を制御するＵＳＢ制御モジュール（１３０）をさらに含んでいる請求項１１に記載の装置（１１０）。
【請求項１４】
前記患者（３３５）を前記取得装置（１１０）から電気的に絶縁する患者隔離モジュール（１６０）をさらに含んでいる請求項１１に記載の装置（１１０）。
【請求項１５】
前記取得装置（１１０）において構成されており、前記利用者に電力レベル及びＥＣＧ信号強度の任意の組み合わせを知らせるＬＥＤインジケータ（３１５）をさらに含んでいる請求項１１に記載の装置（１１０）。
【請求項１６】
前記一組のＥＣＧ誘導（３２５）は１２誘導ＥＣＧの組である、請求項１１に記載の装置（１１０）。
【請求項１７】
前記ＥＣＧコネクタ（３２０）はＥＣＧアダプタ（３３０）を含んでおり、このようにして前記一組のＥＣＧ誘導（３２５）を前記ＥＣＧコネクタ（３２０）に着脱自在に結合させる、請求項１１に記載の装置（１１０）。
【請求項１８】
患者（３３５）から心電図記録（ＥＣＧ）をポータブルＵＳＢ  ＥＣＧ取得装置（１１０）でポータブルに取得する方法であって、
ＵＳＢコネクタによって前記取得装置（１１０）をホスト装置（１７０）に接続するステップと、
前記取得装置（１１０）のプロセッサによって前記ホスト装置（１７０）のプラットフォームを識別するステップと
前記取得装置（１１０）の記憶媒体から前記ホスト装置（１７０）について適当なフォーマットを有する一組の実行可能なコードを前記ホスト装置（１７０）に自動的にロードするステップと、
前記プロセッサによって前記一組の実行可能なコードを前記ホスト装置（１７０）において自動的に実行するステップと、
ＥＣＧ監視ソフトウェア・アプリケーションを起動するステップと、
前記取得装置（１１０）と結合されている一組のＥＣＧ誘導を患者（３３５）に接続するステップと、
前記取得装置（１１０）において、前記ソフトウェア・アプリケーションを前記ホスト装置（１７０）において動作させる利用者からの命令を受け取るステップであって、命令は、前記患者（３３５）からの一組のＥＣＧデータの収集を開始する、受け取るステップと、
前記一組のＥＣＧデータを前記ホスト装置（１７０）の表示器に前記ＥＣＧ監視ソフトウェア・アプリケーションによりリアルタイムで表示するステップと
を含んでいる方法。
【請求項１９】
前記ホスト装置（１７０）が、起動電力を提供するのに限定された電力供給を有するときに前記取得装置（１１０）における電力管理モジュール（１４０）によって前記取得装置（１１０）の電力供給を管理するステップをさらに含んでいる、請求項１８に記載の方法。
【請求項２０】
取得モジュールにおける患者隔離モジュール（１６０）によって前記患者（３３５）を前記取得装置（１１０）から電気的に絶縁するステップをさらに含んでいる、請求項１８に記載の方法。
【請求項２１】
前記ソフトウェア・アプリケーションは、グラフィック・ユーザ・インタフェイスを通じた利用者命令の後に前記患者（３３５）からの前記一組のＥＣＧデータの前記収集を制御し、さらに前記利用者が、前記一組のＥＣＧデータを検討し、操作し、記憶させ、印刷することを可能にする、請求項１８に記載の方法。
【請求項２２】
前記ホスト装置（１７０）は、
デスクトップ・パーソナル・コンピュータ（３４０ｃ）、
ラップトップ・コンピュータ、
監視装置（３４０ａ）、
個人用計算装置（３４０ｂ）、
携帯情報端末（３４０ｂ）及び
スマートフォン
の任意の一つである、請求項１８に記載の方法。
【請求項２３】
前記取得装置（１１０）において構成されているＬＥＤインジケータ（３１５）により、前記利用者に電力レベル及びＥＣＧ信号強度の任意の組み合わせを知らせるステップをさらに含んでいる、請求項１８に記載の方法。